(57)【要約】【課題】光硬化型接着剤を用いてレンズ及び鏡筒を接着固定することができ、レンズの位置ずれ又は偏心等が生じにくいレンズユニットを提供する。【解決手段】鏡筒５のレンズ保持部５１に保持された第１赤外線レンズ１の周面１４に通じるように、鏡筒５の周面に貫通孔５６を形成する。また、鏡筒５に挿嵌されてスペーサ７にて位置決めされた第２赤外線レンズ２とスペーサ７との接触部分に通じるように、鏡筒５の周面に貫通孔５５を形成する。スペーサ７には第２赤外線レンズ２との接触部分に凹部７１を形成し、鏡筒５の貫通孔５５はスペーサ７の凹部７１に通じるように形成する。貫通孔５５及び５６から光硬化型接着剤を流し込み、鏡筒５の外部から紫外線を照射することによって、光硬化型接着剤を硬化させて第１赤外線レンズ１及び第２赤外線レンズ２を鏡筒５に接着固定する。【選択図】図３
2010134379.tif 000002
【特許請求の範囲】
【請求項１】
複数の赤外線レンズと、該赤外線レンズが内部に挿嵌される鏡筒と、前記複数の赤外線レンズの間に介在し、前記鏡筒に内嵌する筒状のスペーサとを備えるレンズユニットにおいて、
前記鏡筒の周面には、前記鏡筒内に挿嵌された前記赤外線レンズの周面、及び／又は、前記スペーサの前記赤外線レンズに接触する部分へ通じる貫通孔が形成してあること
を特徴とするレンズユニット。
【請求項２】
前記スペーサには、前記赤外線レンズが接触する部分に凹部が形成してあり、
前記貫通孔は、前記凹部へ通じるように形成してあること
を特徴とする請求項１に記載のレンズユニット。
【請求項３】
前記貫通孔を覆い隠すカバー部材を備えること
を特徴とする請求項１又は請求項２に記載のレンズユニット。
【請求項４】
前記鏡筒に固定され、前記鏡筒の軸方向の最外側に配された赤外線レンズの周縁部分に当接し、前記赤外線レンズを押さえるレンズ押さえを備え、
前記カバー部材は、前記レンズ押さえと一体的に設けてあること
を特徴とする請求項３に記載のレンズユニット。
【請求項５】
前記貫通孔は、前記鏡筒の周方向に等間隔で複数形成してあること
を特徴とする請求項１乃至請求項４のいずれか１つに記載のレンズユニット。
【発明の詳細な説明】
【技術分野】
【０００１】
本発明は、複数の赤外線レンズを鏡筒に挿嵌し、接着剤にて赤外線レンズを鏡筒に接着固定して構成されるレンズユニットに関する。
【背景技術】
【０００２】
撮像装置は一般的にレンズユニットを備えており、レンズユニットは略円筒型の鏡筒に複数のレンズを挿嵌した構成をなしている。レンズユニットの組み立ては、鏡筒内に複数のレンズを順次挿入し、レンズの調芯（レンズの中心軸の位置合わせ）を行った後、接着剤を用いてレンズを鏡筒に接着固定することで行われる。レンズ間の僅かな位置ずれ又は偏心等が生じた場合、レンズユニットの光学性能が著しく低下するため、レンズの調芯は精度よく行う必要があり、また組み立て後にレンズの位置ずれ又は偏心等が生じることがないように、レンズ及び鏡筒は確実に接着固定する必要がある。レンズ及び鏡筒を固定するための接着剤には、紫外線の照射により硬化する光硬化型接着剤が用いられる場合が多い。光硬化型接着剤を用いることによって、短時間に且つ高精度にレンズ及び鏡筒を接着固定することができるという利点がある。
【０００３】
特許文献１においては、レンズの外周面又は鏡枠の内周面に複数個の突起部を突設し、突起部と鏡枠内周面又はレンズ外周面とを嵌合すると共に、レンズ外周面及び鏡枠内周面の間に形成されるすき間に接着剤を介装することにより、レンズを鏡枠内に固定保持する構成のレンズ保持装置が提案されている。このレンズ保持装置は、接着剤を介してレンズを固定保持する際に、接着剤がレンズの有効径内にはみ出すことを確実に防止できる。また、突起部によりレンズのラジアル方向の位置決めを行うことができ、レンズ及び鏡枠の中心を一致させることができるため、レンズ系の品質及び信頼性の向上を図ることができる。
【０００４】
近年、赤外線による撮像を行う赤外線撮像装置が普及している。例えば、車輌に赤外線撮像装置を搭載して夜間などに車輌周辺の撮像を行い、衝突の可能性がある歩行者を検出して運転者に警告を発するナイトビジョンシステムが実用化されている。赤外線撮像装置は、赤外線を透過及び集光する赤外線レンズと、赤外線を受光する赤外線撮像素子とを備えることによって、撮像を行っている。
【特許文献１】特開平２−１１０５０３号公報
【発明の開示】
【発明が解決しようとする課題】
【０００５】
しかし、赤外線撮像装置が備える赤外線レンズは、ゲルマニウム（Ｇｅ）、硫化亜鉛（ＺｎＳ）、セレン化亜鉛（ＺｎＳｅ）又はカルコゲナイドガラス等の材料で製造されており、赤外線は透過するが、紫外線及び可視光線の透過率は低い。またレンズユニットの鏡筒は、アルミ合金などの金属又は合成樹脂等で形成されており、紫外線は透過しない。よって、レンズユニット内に紫外線を透過させることができないため、赤外線撮像装置のレンズユニットでは光硬化型接着剤を用いて赤外線レンズ及び鏡筒を接着固定することはできないという問題がある。
【０００６】
このため、赤外線撮像装置のレンズユニットでは赤外線レンズ及び鏡筒を固定するために熱硬化型接着剤が用いられる。しかし、熱硬化型接着剤は硬化するまでの時間が長く、また、赤外線レンズ及び鏡筒の熱膨張差によって接着剤の硬化時に位置ずれ又は偏心等が生じる虞があるため、レンズユニットの組み立ての作業性が低下し、赤外線レンズの調芯の精度が低下するという問題があった。
【０００７】
特許文献１に記載のレンズ保持装置は、突起部により生じるレンズ外周面及び鏡枠内周面のすき間に接着剤を塗布する構成であり、接着剤に紫外線を照射して硬化させることができるため、紫外線硬化型の接着剤を用いてレンズ及び鏡枠を接着固定することができる。しかしこのレンズ保持装置は、レンズの外周面と鏡枠の内周面とが突起部の突出端部でしか接触しない構成であるため、接着剤の硬化後であってもレンズの位置ずれ又は偏心等が生じやすいという問題がある。
【０００８】
本発明は、斯かる事情に鑑みてなされたものであって、その目的とするところは、光硬化型接着剤を用いてレンズ及び鏡筒を接着固定することができ、レンズの位置ずれ又は偏心等が生じにくいレンズユニットを提供することにある。
【課題を解決するための手段】
【０００９】
本発明に係るレンズユニットは、複数の赤外線レンズと、該赤外線レンズが内部に挿嵌される鏡筒と、前記複数の赤外線レンズの間に介在し、前記鏡筒に内嵌する筒状のスペーサとを備えるレンズユニットにおいて、前記鏡筒の周面には、前記鏡筒内に挿嵌された前記赤外線レンズの周面、及び／又は、前記スペーサの前記赤外線レンズに接触する部分へ通じる貫通孔が形成してあることを特徴とする。
【００１０】
また、本発明に係るレンズユニットは、前記スペーサには、前記赤外線レンズが接触する部分に凹部が形成してあり、前記貫通孔は、前記凹部へ通じるように形成してあることを特徴とする。
【００１１】
また、本発明に係るレンズユニットは、前記貫通孔を覆い隠すカバー部材を備えることを特徴とする。
【００１２】
また、本発明に係るレンズユニットは、前記鏡筒に固定され、前記鏡筒の軸方向の最外側に配された赤外線レンズの周縁部分に当接し、前記赤外線レンズを押さえるレンズ押さえを備え、前記カバー部材は、前記レンズ押さえと一体的に設けてあることを特徴とする。
【００１３】
また、本発明に係るレンズユニットは、前記貫通孔が、前記鏡筒の周方向に等間隔で複数形成してあることを特徴とする。
【００１４】
本発明においては、赤外線レンズを挿嵌する鏡筒の周面に貫通孔を形成する。この貫通孔は、鏡筒内に挿嵌された赤外線レンズの周面へ通じるように形成する。及び／又は、この貫通孔は、鏡筒内で複数のレンズ間に介在して位置決めを行うスペーサの赤外線レンズに接触する部分に通じるように形成する。
これにより、貫通孔は外部へ露出しているため、貫通孔へ光硬化型接着剤を流し込んで塗布し、鏡筒の外側から貫通孔内へ紫外線を照射することによって、光硬化型接着剤を硬化させることができ、赤外線レンズと鏡筒及び／又はスペーサとを接着固定することができる。
【００１５】
また、本発明においては、筒状をなすスペーサがその端面にて赤外線レンズに接触するが、スペーサには赤外線レンズと接触する部分に凹部を形成する。更に、鏡筒の貫通孔をスペーサの凹部へ通じるように形成する。これにより、鏡筒の貫通孔からスペーサの凹部へ光硬化型接着剤を流し込んで硬化させることができる。またスペーサの凹部は赤外線レンズに接触する部分に形成されているため、貫通孔から流し込まれた接着剤が硬化することで、赤外線レンズをスペーサ及び鏡筒に接着固定することができる。
【００１６】
また、本発明においては、鏡筒の貫通孔を覆い隠すためのカバー部材をレンズユニットが備える。これにより、貫通孔から鏡筒内へ不要な光が入射し、レンズユニットの光学性能を低下させることを防止できる。
【００１７】
また、本発明においては、鏡筒に固定されると共に、鏡筒内において軸方向の最外側に配された赤外線レンズの周縁部分に当接することによって、最外側の赤外線レンズを押さえるレンズ押さえをレンズユニットが備える。更に、鏡筒の貫通孔を覆い隠すカバー部材をレンズ押さえと一体的に設ける。これにより、レンズユニットの構成部品数を低減できるため、組立工数の削減及びコスト削減等を実現できる。
【００１８】
また、本発明においては、鏡筒の周面には上述の貫通孔を複数形成すると共に、複数の貫通孔を周方向に等間隔で配する。これにより、鏡筒と赤外線レンズとの接着固定を効率よく且つ強固に行うことができる。
【発明の効果】
【００１９】
本発明による場合は、鏡筒内に挿嵌された赤外線レンズの周面へ、及び／又は、スペーサの赤外線レンズに接触する部分へ通じる貫通孔を鏡筒の周面に形成することによって、赤外線レンズを鏡筒に挿嵌した後で貫通孔に光硬化型接着剤を流し込み、貫通孔内の光硬化型接着剤へ紫外線を照射して硬化させることができる。よって、レンズユニットの組み立て時に赤外線レンズの調芯を行った後、光硬化型接着剤を用いて迅速に赤外線レンズ及び鏡筒を接着固定することができる。加熱の必要はないため、熱膨張差による赤外線レンズの位置ずれ又は偏心等が発生する虞はない。また、鏡筒の内周面又は赤外線レンズの周面の周長に対して、貫通孔の開口部分が占める割合は少なくてよいため、鏡筒の内周面に赤外線レンズの周面を密着させて、強固に嵌合させることができる。
【発明を実施するための最良の形態】
【００２０】
（実施の形態１）
以下、本発明をその実施の形態を示す図面に基づき具体的に説明する。図１は、本発明の実施の形態１に係るレンズユニットの構成を示す斜視図であり、図２は同レンズユニットの構成を示す分解斜視図であり、図３は同レンズユニットの構成を示す断面図である。
【００２１】
本発明の実施の形態１に係るレンズユニットは、第１赤外線レンズ１、第２の赤外線レンズ２、鏡筒５、レンズ押さえ６及びスペーサ７を備えており、鏡筒５に第１赤外線レンズ１、スペーサ７、第２赤外線レンズ２が順次挿嵌され、鏡筒５の一端にレンズ押さえ６が固定されて構成されている。なお以下においては、鏡筒５の軸方向について、第２赤外線レンズ２側（図３上側）を正面側といい、第１赤外線レンズ１側（図３下側）を背面側という。
【００２２】
第１赤外線レンズ１及び第２赤外線レンズ２は、硫化亜鉛、ゲルマニウム又はカルコゲナイドガラス等を原料として製造され、例えば８〜１２μｍ帯の赤外線を透過するレンズである。第１赤外線レンズ１は、円板状をなしており、正面側に凸面１１を有し、背面側に凹面１２を有するレンズ、所謂メニスカスレンズである。また第１赤外線レンズ１は、正面及び背面の周縁部分を平滑に形成した鍔部１３を有しており、鍔部１３は第１赤外線レンズ１を鏡筒５内に保持するための部分である。
【００２３】
同様に、第２赤外線レンズ２は、円板状をなしており、正面側に凸面２１を有し、背面側に凹面２２を有するメニスカスレンズである。第２赤外線レンズ２は、正面及び背面の周縁部分を平滑に形成した鍔部２３を有しており、鍔部２３は第２赤外線レンズ２を鏡筒５内に保持するための部分である。また第２赤外線レンズ２は、第１赤外線レンズ１より径が大きく、厚さが大きい。よって、軸方向に関して、第２赤外線レンズ２の周面２４の幅は、第１赤外線レンズ１の周面１４の幅より大きい。
【００２４】
鏡筒５は、円筒状をなしており、例えばアルミ合金などを用いて製造される。第１赤外線レンズ１の直径は鏡筒５の内径より小さく、鏡筒５には第１赤外線レンズ１を保持するためのレンズ保持部５１が形成されている。レンズ保持部５１は、鏡筒５の背面側端部の内周面に一周に亘って突設された環状をなし、正面側から背面側へ内径が段階的に小さくなる階段状をなした部分である。レンズ保持部５１は、第１赤外線レンズ１の周面１４に接する部分と、第１赤外線レンズ１の鍔部１３の背面に接する部分とを有しており、正面側から第１赤外線レンズ１を鏡筒５内に挿入して周面１４及び鍔部１３の背面をレンズ保持部５１に接触させることにより、第１赤外線レンズ１は鏡筒５のレンズ保持部５１に嵌合されて、保持される。
【００２５】
なお第１赤外線レンズ１は、レンズ保持部５１に嵌合して保持された状態において、周面１４の正面側の一部がレンズ保持部５１から露出し、この露出部分と鏡筒５との間には間隙Ａが設けられる。鏡筒５の内周面には、第１赤外線レンズ１の周面１４の露出部分に対向して、鏡筒５の径方向に貫通する貫通孔５６が形成されている。貫通孔５６は、第１赤外線レンズ１及び鏡筒５の間の間隙Ａに連通するように形成されており、即ち、第１赤外線レンズ１の周面１４に通じるように鏡筒５に形成されている。また鏡筒５には、周方向に３つの貫通孔５６が等間隔で形成されている。
【００２６】
スペーサ７は、円筒状をなしており、例えば鏡筒５と同じくアルミ合金などを用いて製造される。スペーサ７の外径は鏡筒５の内径と略同じにしてあり、正面側からスペーサ７を鏡筒５内へ挿入して嵌合させることができる。またスペーサ７の内周面は、内径が正面側から背面側へ徐々に小さくなるテーパ状に形成してある。鏡筒５内において、スペーサ７の背面側の端面は第１赤外線レンズ１の鍔部１３の正面に当接し、スペーサ７の正面側の端面は第２赤外線レンズ２の鍔部２３の背面に当接する。即ち、第１赤外線レンズ１と第２赤外線レンズ２との間にスペーサ７が介在しており、これにより第１赤外線レンズ１と第２赤外線レンズ２との位置決めが行われる。
【００２７】
スペーサ７の外径は、第１赤外線レンズ１の外径より大きく、スペーサ７の背面側の端面は外縁側の一部が第１赤外線レンズ１の鍔部１３に当接しない。よって、スペーサ７は鏡筒５内に挿嵌された場合に、背面側の端面の外縁側が、第１赤外線レンズ１の周面１４及び鏡筒５の内周面の間の間隙Ａを正面側から閉塞する。これにより、間隙Ａは鏡筒５の内周面、レンズ保持部５１の正面、第１赤外線レンズ１の周面１４及びスペーサ７の背面側の端面に囲まれ、３つの貫通孔５６を通してのみ鏡筒５の外部に連通する構成となる。
【００２８】
鏡筒５に第１赤外線レンズ１及びスペーサ７を挿入して嵌合させた後、鏡筒５の外側から貫通孔５６を通して鏡筒５内の間隙Ａへ光硬化型接着剤を流し込み、貫通孔５６を通して光硬化型接着剤へ紫外線を照射することによって硬化させる。これにより、第１赤外線レンズ１は、鏡筒５の内周面及びスペーサ７の背面側の端面に接着固定される。
【００２９】
鏡筒５の内径は第２赤外線レンズ２の外径に略等しいか又は若干大きく形成してあり、正面側から第２赤外線レンズ２を鏡筒５内へ挿入して嵌合させることができる。また、第１赤外線レンズ１及びスペーサ７を鏡筒５内に挿嵌した後、第２赤外線レンズ２を鏡筒５内に挿入し、第２赤外線レンズ２の鍔部２３の背面がスペーサ７に接触した状態においては、第２赤外線レンズ２の周面２４の一部が鏡筒５から露出するように、鏡筒５及びスペーサ７の軸方向の長さが調節してある。これにより、第２赤外線レンズ２を鏡筒５内に挿入した後、鏡筒５から露出する第２赤外線レンズ２の周面２４を冶具などで把持し、第２赤外線レンズ２を中心軸に交差する平面上で移動させて又は回転させることによって、調芯作業を行うことができる。
【００３０】
また、第２赤外線レンズ２に接触するスペーサ７の正面側端面の外縁部分には、凹部７１が形成してある。凹部７１は、スペーサ７の正面側端面の外縁部分と外周面の正面側端部とを凹ませた態様であり、スペーサ７の周方向に等間隔で３つ形成されている。鏡筒５には、スペーサ７の３つの凹部７１に連通するように、径方向に貫通する３つの貫通孔５５が、鏡筒５の周方向に等間隔で形成されている。よって、鏡筒５内にスペーサ７及び第２赤外線レンズ２が挿入して嵌合された場合、スペーサ７に形成された凹部７１は、正面側が第２赤外線レンズ２の鍔部２３に閉塞されると共に、貫通孔５５を通じてのみ鏡筒５の外部へ連通する。
【００３１】
鏡筒５にスペーサ７及び第２赤外線レンズ２を挿入して嵌合させた後、鏡筒５の外側から貫通孔５５を通して鏡筒５内のスペーサ７に形成された凹部７１へ光硬化型接着剤を流し込み、貫通孔５５を通して凹部７１の光硬化型接着剤へ紫外線を照射することによって硬化させる。これにより、第２赤外線レンズ２は、スペーサ７の正面側の端面（及び鏡筒５の内周面）に接着固定される。
【００３２】
また図示は省略するが、鏡筒５の外周面の正面側端部近傍にはねじ溝が形成されており、レンズ押さえ６の内周面に形成されたねじ溝に螺合させることによって、鏡筒５及びレンズ押さえ６の固定を行うことができるようにしてある。レンズ押さえ６は、鏡筒５のねじ溝に螺合するねじ溝が内周面に形成された筒部６１と、この筒部６１の正面側端部から内側へ向けてに設けられ、鏡筒５に挿嵌された第２赤外線レンズ２の鍔部２３に当接する押さえ部６２とで構成され、押さえ部６２には第２赤外線レンズ２の凸面を露出させるための開口６３が形成されている。レンズ押さえ６を鏡筒５に螺合させることによって、第２赤外線レンズ２は軸方向に関してレンズ押さえ６の押さえ部６２及びスペーサ７の正面側端面の間に挟まれて強固に固定される。
【００３３】
レンズユニットの組み立てを行う場合、まず、鏡筒５内に第１赤外線レンズ１を挿入してレンズ保持部５１に嵌合させることにより保持させ、スペーサ７を背面側端面が第１赤外線レンズ１の鍔部１３に当接するまで挿入して嵌合させる。このとき、鏡筒５の貫通孔５５とスペーサ７の凹部７１とが同じ位置となるように、スペーサ７の周方向の位置を調整する。その後、鏡筒５の貫通孔５６から光硬化型接着剤を鏡筒５、第１赤外線レンズ１及びスペーサ７の間の間隙Ａに流し込み、紫外線を照射して硬化させる。
【００３４】
次いで、鏡筒５内に第２赤外線レンズ２をスペーサ７に当接するまで挿入して嵌合させ、第２赤外線レンズ２の調芯作業を行う。調芯作業の終了後、鏡筒５の貫通孔５５からスペーサ７の凹部７１へ光硬化型接着剤を流し込み、紫外線を照射して硬化させる。次いで、レンズ押さえ６を鏡筒５の正面側に螺合させてことによって、レンズユニットの組み立てが完了する。なお、鏡筒５に第１赤外線レンズ１、スペーサ７及び第２赤外線レンズ２を挿嵌し、レンズ押さえ６を鏡筒５に螺合して固定した後に、貫通孔５５及び５６へ光硬化型接着剤を流し込んで硬化させる手順でレンズユニットの組み立てを行ってもよい。また、レンズ押さえ６は鏡筒５に接着固定してもよい。
【００３５】
以上の構成のレンズユニットは、第１赤外線レンズ１及び第２赤外線レンズ２を挿嵌する鏡筒５の周面に、第１赤外線レンズ１の周面１４に通じるように、また、第２赤外線レンズ２及びスペーサ７の接触部分へ通じるように、貫通孔５５、５６を形成することによって、第１赤外線レンズ１及び第２赤外線レンズ２の調芯作業を行った後で、貫通孔５５、５６を通して光硬化型接着剤を流し込み、鏡筒５の周面から貫通孔５５、５６を通して紫外線を照射して光硬化型接着剤を硬化させることができるため、加熱を要する熱硬化型接着剤を用いることなく、光硬化型接着剤を用いて鏡筒５に対する第１赤外線レンズ１及び第２赤外線レンズ２の接着固定を迅速に行うことができる。熱膨張差による第１赤外線レンズ１及び第２赤外線レンズ２の位置ずれ又は偏心等が発生する虞はなく、第１赤外線レンズ１及び第２赤外線レンズ２を精度よく固定することができるため、レンズユニットの光学性能及び信頼性等を向上させることができる。
【００３６】
また、鏡筒５の貫通孔５６は、レンズ保持部５１に保持された第１赤外線レンズ１の周面１４に対向する鏡筒５の内周面に形成する、即ち貫通孔を第１赤外線レンズ１の周面１４に通じるように形成することによって、第１赤外線レンズ１の周面１４、スペーサ７の背面側の端面、鏡筒５の内周面及びレンズ保持部５１の正面にて囲まれる間隙Ａに光硬化型接着剤を流し込んで硬化させることができ、第１赤外線レンズ１を鏡筒５及びスペーサ７に迅速且つ確実に接着固定することができる。
【００３７】
また、スペーサ７の正面側の端面（即ち、第２赤外線レンズ２に接触する部分）に凹部７１を形成し、鏡筒５に凹部７１へ通じるように貫通孔５５を形成することによって、貫通孔５５を通して光硬化型接着剤を凹部７１へ流し込んで硬化させることができ、第２赤外線レンズ２をスペーサ７及び鏡筒５に迅速且つ確実に接着固定することができる。
【００３８】
なお、本実施の形態においては、鏡筒５に貫通孔５５を３つ形成する構成としたが、これに限るものではなく、２つ以下又は４つ以上の貫通孔５５を鏡筒５に形成してもよい。貫通孔５６についても同様である。また、鏡筒５に第１赤外線レンズ１及び第２赤外線レンズ２の２つのレンズを挿嵌する構成としたが、これに限るものではなく、３つ以上のレンズを鏡筒内に挿嵌する構成であってもよい。また、第２赤外線レンズ２の周面２４の一部が鏡筒５から露出する構成としたが、これに限るものではなく、周面２４が鏡筒５内に全て収まる構成であってもよい。また、レンズ押さえ６が鏡筒５に螺合することで固定される構成としたが、これに限るものではなく、レンズ押さえ６が鏡筒５に外嵌して接着剤などで固定される構成であってもよい。
【００３９】
（実施の形態２）
図４は、本発明の実施の形態２に係るレンズユニットの構成を示す断面図である。実施の形態１に係るレンズユニットは、鏡筒５に形成した貫通孔５５が外部に露出する構成である。これに対して、実施の形態２に係るレンズユニットは、貫通孔５５に流し込んだ光硬化型接着剤に紫外線を照射して硬化させた後、貫通孔５５を覆い隠す部材を備える構成である。
【００４０】
実施の形態２に係るレンズユニットは、鏡筒２０５の外周面の正面側端部近傍に形成されたねじ溝と、レンズ押さえ２０６の内周面に形成されたねじ溝との螺合によってレンズ押さえ２０６を鏡筒２０５に固定する構成であるが、光硬化型接着剤を流し込むための貫通孔５５は鏡筒５のねじ溝が設けられた部分に形成してある。これにより、貫通孔５５に光硬化型接着剤を流し込んで硬化させた後、レンズ押さえ２０６を鏡筒２０５に螺合させて固定することによって、貫通孔５５がレンズ押さえ２０６の筒部２６１に覆い隠される。
【００４１】
以上の構成の実施の形態２に係るレンズユニットは、貫通孔５５を覆い隠すためのカバー部材としてレンズ押さえ２０６の筒部２６１を用いる構成とすることによって、鏡筒２０５の外部から貫通孔５５を通して内部へ不要な光が入射することを防止できるため、レンズユニットの光学性能の低下を防止することができる。また、カバー部材をレンズ押さえ２０６と一体的に設けた構成であるため、レンズユニットの部品点数の増加及び組立工数の増加等が発生することはない。また、鏡筒２０５に形成された貫通孔５５が露出することによってレンズユニットの美観が阻害されることを防止できる。
【００４２】
なお、実施の形態２に係るレンズユニットのその他の構成は、実施の形態１に係るレンズユニットの構成と同様であるため、同様の箇所には同じ符号を付して詳細な説明を省略する。
【００４３】
（変形例）
図５は、本発明の実施の形態２の変形例に係るレンズユニットの構成を示す断面図である。実施の形態２に係るレンズユニットは、鏡筒２０５の正面側に形成された貫通孔５５をレンズ押さえ２０６の筒部２６１にて覆い隠す構成であり、背面側の貫通孔５６は外部に露出した状態である。これに対して、変形例に係るレンズユニットは、鏡筒２０５ａの背面側に形成された貫通孔５６を覆い隠すためのカバー部材２０９を備えている。
【００４４】
カバー部材２０９は、円筒状をなしており、図示は省略するがその内周面にはねじ溝が形成されている。鏡筒２０５ａの外周面の背面側端部近傍には、カバー部材２０９のねじ溝に螺合するねじ溝が形成されており、光硬化型接着剤を流し込むための貫通孔５６は、鏡筒５の背面側のねじ溝が設けられた部分に形成してある。これにより、貫通孔５６に光硬化型接着剤を流し込んで硬化させた後、カバー部材２０９を鏡筒２０５ａの背面側から螺合させて固定することによって、貫通孔５６がカバー部材２０９に覆い隠される。
【００４５】
以上の構成の実施の形態２の変形例に係るレンズユニットは、カバー部材２０９を鏡筒２０５ａに螺合させて貫通孔５６を覆い隠す構成とすることによって、鏡筒２０５ａの外部から貫通孔５６を通して内部へ不要な光が入射することを防止できるため、レンズユニットの光学性能の低下を防止することができる。
【００４６】
（実施の形態３）
図６は、本発明の実施の形態３に係るレンズユニットの構成を示す断面図である。実施の形態１及び２に係るレンズユニットは、スペーサ７に形成した凹部７１に通じる貫通孔５５と、第１赤外線レンズ１の周面１４及び鏡筒５の内周面の間隙Ａに通じる貫通孔５６とを鏡筒５に形成した構成である。これに対して、実施の形態３に係るレンズユニットは、スペーサ３０７に凹部は形成されておらず、鏡筒３０５に形成する貫通孔３５５及び３５６の位置が実施の形態１及び２とは異なる。
【００４７】
実施の形態３に係るレンズユニットの鏡筒３０５には、外周面の背面側端部近傍に３つの貫通孔３５６が、周方向に等間隔で形成されている。貫通孔３５６は、鏡筒３０５の径方向にレンズ保持部５１を貫通して形成されている。即ち、貫通孔３５６は、レンズ保持部５１に保持された第１赤外線レンズ１の周面１４に通じるように形成されている。
【００４８】
また、鏡筒３０５には、外周面の正面側端部近傍に３つの貫通孔３５５が、周方向に等間隔で形成されている。貫通孔３５５は、レンズ押さえ６に螺合する鏡筒３０５のねじ溝が設けられた部分に形成されおり、且つ、鏡筒３０５の径方向に、鏡筒３０５内に挿嵌された第２赤外線レンズ２の周面２４に通じるように形成されている。
【００４９】
このように、鏡筒３０５の貫通孔３５５及び３５６を、第１赤外線レンズ１の周面１４及び第２赤外線レンズ２の周面２４に通じるように、第１赤外線レンズ１の周面１４及び第２赤外線レンズ２の周面２４に接する鏡筒３０５の内周面へ形成することによって、貫通孔３５５及び３５６から光硬化型接着剤を流し込み、赤外線を鏡筒５の外部から照射して貫通孔３５５及び３５６内の光硬化型接着剤を硬化させることができる。よって、光硬化型接着剤を用いて第１赤外線レンズ１及び第２赤外線レンズ２を鏡筒３０５に接着固定することができる。
【００５０】
以上の構成の実施の形態３に係るレンズユニットは、実施の形態１に係るレンズユニットと同様に、加熱を要する熱硬化型接着剤を用いることなく、光硬化型接着剤を用いて鏡筒３０５に対する第１赤外線レンズ１及び第２赤外線レンズ２の接着固定を迅速に行うことができる。第１赤外線レンズ１及び第２赤外線レンズ２を精度よく固定することができるため、レンズユニットの光学性能及び信頼性等を向上させることができる。
【００５１】
なお、実施の形態３に係るレンズユニットのその他の構成は、実施の形態１に係るレンズユニットの構成と同様であるため、同様の箇所には同じ符号を付して詳細な説明を省略する。
【００５２】
（実施の形態４）
図７は、本発明の実施の形態４に係るレンズユニットの構成を示す分解斜視図であり、図８は同レンズユニットの構成を示す断面図である。上述の実施の形態１〜３に係るレンズユニットは赤外線レンズを２つ備える構成であるが、実施の形態４に係るレンズユニットは赤外線レンズを３つ備える構成である。
【００５３】
実施の形態４に係るレンズユニットは、第１〜第３赤外線レンズ４０１〜４０３、鏡筒４０５、レンズ押さえ６、第１スペーサ４０７及び第２スペーサ４０９を備えている。レンズユニットは、鏡筒４０５に第１赤外線レンズ４０１、第１スペーサ４０７、第２赤外線レンズ４０２、第２スペーサ４０９、第３赤外線レンズ４０３が順次挿嵌され、鏡筒４０５の正面側にレンズ押さえ６が固定されて構成されている。
【００５４】
第１赤外線レンズ４０１は、円板状をなしており、正面側に凸面４１１を有し、背面側に凹面４１２を有するレンズである。第１赤外線レンズ４０１は、正面及び背面の周縁部分を平滑に形成した鍔部４１３を有しており、鍔部４１３は第１赤外線レンズ４０１を鏡筒４０５内に保持するための部分である。同様に、第２赤外線レンズ４０２は、正面側に凹面４２１を有し、背面側に凸面４２２を有するレンズであり、正面及び背面の周縁部分を平滑に形成した鍔部４２３を有している。また、第３赤外線レンズ４０３は、正面側に凸面４３１を有し、背面側に凹面４３２を有するレンズであり、背面の周縁部分が平滑に形成されている。第２赤外線レンズ４０２及び第３赤外線レンズ４０３は直径が略同じであり、第１赤外線レンズ４０１より直径が大きい。
【００５５】
鏡筒４０５は、円筒状をなしており、背面側に第１赤外線レンズ４０１を保持するためのレンズ保持部４５１が形成されている。レンズ保持部４５１は、鏡筒４０５の背面側端部に内周面の一周に亘って突設され、正面側から背面側への内径が段階的に小さくなる階段状をなした部分である。レンズ保持部４５１は、第１赤外線レンズ４０１の周面４１４に接する部分と、第１赤外線レンズ４０１の鍔部４１３の背面に接する部分とを有しており、正面側から第１赤外線レンズ４０１を鏡筒４０５内に挿入して周面４１４及び鍔部５１３の背面をレンズ保持部４５１に接触させることにより、第１赤外線レンズ４０１はレンズ保持部４５１に嵌合し、保持される。
【００５６】
鏡筒４０５の外周面の背面側端部近傍には、鏡筒４０５のレンズ保持部４５１の内外を連通するように、貫通孔４５７が鏡筒４０５の径方向に形成されている。即ち、貫通孔４５７は、レンズ保持部４５１に保持された第１赤外線レンズ４０１の周面４１４に通じるように形成されている。また貫通孔４５７は、鏡筒４０５の周方向に等間隔で３つ形成されている。
【００５７】
第１スペーサ４０７は、円筒状をなし、外径が鏡筒４０５の内径と略同じであり、正面側から第１スペーサ４０７を鏡筒４０５内に挿入して嵌合させることができる。また第１スペーサ４０７内は、内径が正面側から背面側へ徐々に小さくなるテーパ状に形成してある。鏡筒４０５内において、第１スペーサ４０７の背面側の端面は第１赤外線レンズ４０１の鍔部４１３の正面に当接し、第１スペーサ４０７の正面側の端面は第２赤外線レンズ４０２の鍔部４２３の背面に当接する。即ち、第１赤外線レンズ４０１及び第２赤外線レンズ４０２の間に第１スペーサ４０７が介在しており、これにより第１赤外線レンズ４０１及び第２赤外線レンズ４０２の位置決めが行われる。
【００５８】
鏡筒４０５の内径は第２赤外線レンズ４０２及び第３赤外線レンズ４０３の内径に等しいか又は若干大きく形成してあり、第１赤外線レンズ４０１及び第１スペーサ４０７を鏡筒４０５内に挿嵌した後、第２赤外線レンズ４０２を鏡筒４０５内に挿入して、軸方向について鏡筒４０５の略中央位置に第２赤外線レンズ４０２を嵌合させることができる。
【００５９】
鏡筒４０５の外周面の軸方向の略中央には、鏡筒４０５の内外を連通するように、貫通孔４５６が鏡筒４０５の径方向に形成されている。即ち、貫通孔４５６は、鏡筒４０５に挿嵌されて第１スペーサ４０７にて位置決めされた第２赤外線レンズ４０２の周面４２４に通じるように形成されている。また貫通孔４５６は、鏡筒４０５の周方向に等間隔で３つ形成されている。
【００６０】
第２スペーサ４０９は、円筒状をなし、外径が鏡筒４０５の内径と略同じであり、正面側から第２スペーサ４０９を鏡筒４０５内に挿入して嵌合させることができる。鏡筒４０５内において、第２スペーサ４０９の背面側の端面は第２赤外線レンズ４０２の鍔部４２３の正面に当接し、第２スペーサ４０９の正面側の端面は第３赤外線レンズ４０３の背面の平滑部分に当接する。即ち、第２赤外線レンズ４０２及び第３赤外線レンズ４０３の間に第２スペーサ４０９が介在しており、これにより第２赤外線レンズ４０２及び第３赤外線レンズ４０３の位置決めが行われる。
【００６１】
鏡筒４０５には第３赤外線レンズ４０３を挿嵌することができ、鏡筒４０５に挿嵌された第２スペーサ４０９に第３赤外線レンズ４０３を当接させた状態においては、第３赤外線レンズ４０３の周面４３４の一部が鏡筒４０５から露出するように、第２スペーサ４０９及び鏡筒４０５の長さが調節してある。これにより、第３赤外線レンズ４０３を鏡筒４０５内に挿入した後、鏡筒４０５から露出する周面４３４を冶具などで把持して、第３赤外線レンズ４０３の調芯作業を行うことができる。
【００６２】
また、鏡筒４０５の外周面の正面側端部近傍には、鏡筒４０５の内外を連通するように、貫通孔４５５が鏡筒４０５の径方向に形成されている。即ち、貫通孔４５５は、鏡筒４０５に挿嵌されて第２スペーサ４０９にて位置決めされた第３赤外線レンズ４０３の周面４３４に通じるように形成されている。また貫通孔４５５は、鏡筒４０５の周方向に等間隔で３つ形成されている。
【００６３】
鏡筒４０５の外周面の正面側端部近傍にはねじ溝が形成されており、レンズ押さえ６の内周面に形成されたねじ溝に螺合させることによって、鏡筒４０５及びレンズ押さえ６の固定を行うことができる。レンズ押さえ６を鏡筒４０５に螺合させることによって、第３赤外線レンズ４０３は軸方向に関してレンズ押さえ６及び第２スペーサ４０９に挟まれて強固に固定される。また、貫通孔４５５は、鏡筒４０５のねじ溝が設けられた部分に形成されており、レンズ押さえ６を鏡筒４０５に螺合して固定することによって、覆い隠される。
【００６４】
実施の形態４に係るレンズユニットを組み立てる場合、まず、鏡筒４０５に第１赤外線レンズ４０１を挿入してレンズ保持部４５１に嵌合させて保持させた後、貫通孔４５７内に光硬化型接着剤を流し込み、鏡筒４０５の外側から貫通孔４５７内の光硬化型接着剤へ紫外線を照射して硬化させる。次いで、鏡筒４０５内に第１スペーサ４０７を挿入して嵌合させ、第２赤外線レンズ４０２を背面が第１スペーサ４０７に当接するまで鏡筒４０５内に挿入して嵌合させた後、貫通孔４５６内に光硬化型接着剤を流し込み、鏡筒４０５の外側から貫通孔４５６内の光硬化型接着剤へ紫外線を照射して硬化させる。
【００６５】
次いで、鏡筒４０５内に第２スペーサ４０９を挿入して嵌合させ、第３赤外線レンズ４０３を背面が第２スペーサ４０９に当接するまで鏡筒４０５内に挿入して嵌合させ、第３赤外線レンズ４０３の調芯を行う。調芯作業の完了後、貫通孔４５５内に光硬化型接着剤を流し込み、鏡筒４０５の外側から貫通孔４５５内の光硬化型接着剤へ紫外線を照射して硬化させる。その後、レンズ押さえ６及び鏡筒４０５を螺合させて、レンズユニットの組み立てが完了する。なお、鏡筒４０５内に第１赤外線レンズ４０１、第１スペーサ４０７、第２赤外線レンズ４０２、第２スペーサ４０９及び第３赤外線レンズ４０３を挿嵌した後、貫通孔４５５〜４５７に光硬化型接着剤を流し込んで硬化させる手順であってもよい。
【００６６】
以上の構成の実施の形態４に係るレンズユニットは、鏡筒４０５内に３つ以上の赤外線レンズを備える構成であっても、実施の形態１〜３に係るレンズユニットと同様に、鏡筒４０５に貫通孔４５５〜４５７を形成することによって、光硬化型接着剤による第１赤外線レンズ４０１〜第３赤外線レンズ４０３と鏡筒４０５との接着固定を行うことができる。よって、第１赤外線レンズ４０１〜第３赤外線レンズ４０３の固定を迅速に行うことができ、第１赤外線レンズ４０１〜第３赤外線レンズ４０１の位置ずれ又は偏心等が発生する虞がなく、レンズユニットの光学性能及び信頼性等を向上させることができる。
【００６７】
なお、実施の形態４に係るレンズユニットのその他の構成は、実施の形態１に係るレンズユニットの構成と同様であるため、同様の箇所には同じ符号を付して詳細な説明を省略する。
【図面の簡単な説明】
【００６８】
【図１】本発明の実施の形態１に係るレンズユニットの構成を示す斜視図である。
【図２】本発明の実施の形態１に係るレンズユニットの構成を示す分解斜視図である。
【図３】本発明の実施の形態１に係るレンズユニットの構成を示す断面図である。
【図４】本発明の実施の形態２に係るレンズユニットの構成を示す断面図である。
【図５】本発明の実施の形態２の変形例に係るレンズユニットの構成を示す断面図である。
【図６】本発明の実施の形態３に係るレンズユニットの構成を示す断面図である。
【図７】本発明の実施の形態４に係るレンズユニットの構成を示す分解斜視図である。
【図８】本発明の実施の形態４に係るレンズユニットの構成を示す断面図である。
【符号の説明】
【００６９】
１  第１赤外線レンズ
２  第２赤外線レンズ
５  鏡筒
６  レンズ押さえ
７  スペーサ
１４  周面
２４  周面
５１  レンズ保持部
５５、５６  貫通孔
７１  凹部
２０５、２０５ａ  鏡筒
２０６  レンズ押さえ
２０９  カバー部材
２６１  筒部（カバー部材）
３０５  鏡筒
３０７  スペーサ
３５５、２５６  貫通孔
４０１  第１赤外線レンズ
４０２  第２赤外線レンズ
４０３  第３赤外線レンズ
４０５  鏡筒
４０７  第１スペーサ
４０９  第２スペーサ
４１４、４２４、４３４  周面
４５５、４５６、４５７  貫通孔
【図１】
2010134379.tif 000003
【図２】
2010134379.tif 000004
【図３】
2010134379.tif 000005
【図４】
2010134379.tif 000006
【図５】
2010134379.tif 000007
【図６】
2010134379.tif 000008
【図７】
2010134379.tif 000009
【図８】
2010134379.tif 000010